(57)【要約】  本発明の植木鉢用給水装置は、少なくとも一つの排水孔を有する植木鉢底面部と植木鉢底面部の全周縁で突出形成された植木鉢周壁部とを含む植木鉢と、排水孔に結合され、植木鉢周壁部の間の空間に突出形成され、上端に支持体通気孔を有する芯支持体と、芯支持体により支持されて、排水孔を通じて植木鉢底面部の下部から水を吸収して植木鉢底面部の上部に供給する芯と、水を貯蔵し、植木鉢の下部に結合されて芯に水を供給する貯水筒とを含んで構成され、本発明によれば、芯が植木鉢の内部に進入することによって、植木鉢の内部の土に吸収される水の量を増加させることができる。
2014508538.tif 000002
【特許請求の範囲】
【請求項１】
少なくとも一つの排水孔を有する植木鉢底面部と、前記植木鉢底面部の全周縁部で突出形成された植木鉢周壁部とを含む植木鉢と；
前記排水孔に結合され、前記植木鉢周囲壁部の間の空間に突出形成され、上端に支持体通気孔を有する芯支持体と；
前記芯支持体によって支持されて、前記排水孔を通じて前記植木鉢底面部の下部から水を吸収して前記植木鉢底面部の上部に供給する芯と；
水を貯蔵し、前記植木鉢の下部に結合されて、前記芯に水を供給する貯水筒と；を含むことを特徴とする植木鉢用給水装置。
【請求項２】
前記植木鉢底面部は、前記排水孔の周りが前記植木鉢底面部の上または下に突出された固定部材を有することを特徴とする請求項１に記載の植木鉢用給水装置。
【請求項３】
前記芯支持体は突出された長手方向に周囲が漸次に狭くなる形状または広がる形状を有することを特徴とする請求項１に記載の植木鉢用給水装置。
【請求項４】
前記芯支持体は換気のための少なくとも一つの空気案内孔を含むことを特徴とする請求項１に記載の植木鉢用給水装置。
【請求項５】
前記芯支持体は長手方向に切り取った形状の空気案内溝を含み、
前記少なくとも一つの空気案内孔は前記空気案内溝の前記切り取った形状部分に位置することを特徴とする請求項４に記載の植木鉢用給水装置。
【請求項６】
前記芯は、前記支持体通気孔を上側で囲むように形成されることを特徴とする請求項１に記載の植木鉢用給水装置。
【請求項７】
前記貯水筒は、外部で水を供給することができる少なくとも一つの給水口を有することを特徴とする請求項１に記載の植木鉢用給水装置。
【請求項８】
前記植木鉢に設置されて、前記植木鉢で栽培される植物を支える支持体をさらに含むことを特徴とする請求項１に記載の植木鉢用給水装置。
【請求項９】
前記支持体は、前記植木鉢周壁部の周りに固定されて設置されることを特徴とする請求項８に記載の植木鉢用給水装置。
【請求項１０】
植木鉢底面部に排水孔が形成されている植木鉢に水を供給するために用いられ、貯水筒底面部と、前記貯水筒底面部の全周縁部で起立形成された貯水筒周壁部とを有する上向き開口の貯水筒と、下端が前記貯水筒底面部と前記植木鉢底面部との間に配置され、上端が前記排水孔を通じて植木鉢の内部に露出されるように設置される錐形の芯支持体と、吸収性材料で製作され、前記芯支持体の外表面に支持されるように設置された形態の芯とを有する植木鉢用給水装置において、
前記芯支持体は、前記貯水筒底面部の上面で三角形に起立形成され、上端に支持体通気孔が形成され、
前記貯水筒底面部は前記芯支持体の開口に連通するように底面通気孔が形成され、
前記貯水筒は前記貯水筒底面部を貯水筒設置面に対して支持し、前記貯水筒底面部と貯水筒設置面との間を通じて前記底面通気孔に空気が供給されるように前記貯水筒底面部の底面に突出形成された遊隔突起をさらに含むことを特徴とする植木鉢用給水装置。
【請求項１１】
前記芯支持体が植木鉢の内部に進入した状態で、植木鉢の荷重を支えるように前記貯水筒の内部に設置された植木鉢支持体をさらに含むことを特徴とする請求項１０に記載の植木鉢用給水装置。
【請求項１２】
前記芯支持体は三角形に形成されたことを特徴とする請求項１０に記載の植木鉢用給水装置。
【請求項１３】
前記芯支持体の側面には空気案内孔が形成され、上端には支持体通気孔が形成されていることを特徴とする請求項１０に記載の植木鉢用給水装置。
【請求項１４】
前記芯は前記支持体通気孔を上側で囲むように形成されることを特徴とする請求項１３に記載の植木鉢用給水装置。
【請求項１５】
前記芯支持体は、側面に凹形の空気案内溝が長手方向に沿って切り取られて形成され、前記空気案内孔は、前記空気案内溝の底面に形成されていることを特徴とする請求項１３に記載の植木鉢用給水装置。
【発明の詳細な説明】
【技術分野】
【０００１】
本発明は植木鉢用給水装置に関するもので、より詳細には、植木鉢の底面部に排水孔が形成されている植木鉢に水を供給する装置に関するものである。
【背景技術】
【０００２】
植物を鉢に植えて栽培する場合、植物の成長に必要な水を供給するために植木鉢に水を供給する。
【０００３】
従来、植木鉢に簡単且つ効率的に水を供給するために多様な方法があり、その方法の一つとして、貯水筒に貯蔵された水を吸水性材質で製作された芯を通じて供給する技術が案出されて使用される。
【０００４】
図２２は、従来の植木鉢用給水装置の断面図である。
【０００５】
従来の植木鉢用給水装置は、図２２に示すように、上向き方開口の貯水筒１１０と、貯水筒１１０の上面に設置され凹形の植木鉢支持体１２５と、植木鉢支持体１２５の底面に設置された水平芯１２３と、貯水筒１１０の内部に到達するように水平芯１２３に連結された垂直芯１２４とを有している。
【０００６】
貯水筒１１０は貯水筒底面部１１１と、貯水筒底面部１１１の全周縁部で起立形成された貯水筒周壁部１１２とを有している。
【０００７】
貯水筒周壁部１１２は、上端に２回折曲された形態の支持段差１１２ａが形成されている。
【０００８】
植木鉢支持体１２５は底面に複数の芯案内孔１２５ａが形成されている。
【０００９】
水平芯１２３は一対の吸収層部１２３ａの間に根浸透遮断層部１２３ｂが介在されたサンドイッチ状に製作されている。
【００１０】
各吸収層部１２３ａは不織布、フェルトなどの吸収性材料で製作される。
【００１１】
根浸透遮断層部１２３ｂはＵＶ処理された合成樹脂材でメッシュ状に製作される。
【００１２】
このような構成を有する根浸透遮断層部１２３ｂは植物の根が貯水筒１１０の内部に進入することを防止する作用をする。
【００１３】
垂直芯１２４は不織布、フェルトなどの吸収性材料で製作される。
【００１４】
このような構成を有する垂直芯１２４は芯案内孔１２５ａを通過して貯水筒１１０の内部に進入するように設置される。
【００１５】
このような構成を有する従来の植木鉢用給水装置を使用する方法を説明すると次の通りである。
【００１６】
まず、植木鉢支持体１２５、水平芯１２３及び垂直芯１２４を設置する。
【００１７】
次に、貯水筒１１０に水を満たす。
【００１８】
貯水筒１１０に水が満たされると、貯水筒１１０に貯蔵された水は垂直芯１２４を通じて水平芯１２３に伝達される。
【００１９】
次に、排水孔２０１ａが水平芯１２３に隣接するように植木鉢２０１を支持段差１１２ａに設置する。
【００２０】
植木鉢２０１が設置された状態で、水平芯１２３に伝達された水は植木鉢の排水孔２０１ａを通じて植木鉢内部に吸収されてから植物の根に吸収される。
【００２１】
しかし、従来の植木鉢用給水装置によれば、芯１２３、１２４が植木鉢の外部に配置されているため、植木鉢の内部の土に吸収される水の量が少ないという問題点があった。
【００２２】
また、貯水筒１１０と植木鉢の内部の土との間には障壁がないため、外部から衝撃を与えると、植木鉢の内部の土が排水孔２０１ａを通じて貯水筒１１０に落下するという問題点があった。
【００２３】
また、植木鉢の内部に進入する構造物がないため、植木鉢の初期設置状態を安定的に保持することができなく、根の成長を促進し、土壌から根に吸収される水と栄養分の量が減少する（根が一定領域に集中される）という問題があった。
【発明の概要】
【発明が解決しようとする課題】
【００２４】
本発明の目的は、植木鉢の内部の土に吸収される水の量を増加させることができ、植木鉢の内部の土が排水孔を通じて落下されることを防止することができ、植木鉢の初期設置状態を安定的に保持することができ、根の成長を促進し、土壌から根に吸収される水と栄養分の量を増加させることができるようにした植木鉢用給水装置を提供することである。
【課題を解決するための手段】
【００２５】
上記目的は、本発明によって、植木鉢底面部に排水孔が形成されている植木鉢に水を供給するための植木鉢用給水装置において、貯水筒底面部と、前記貯水筒底面部の全周縁部で起立形成された貯水筒周壁部を有する上向き開口の貯水筒と、下端部が前記貯水筒底面部と前記植木鉢底面部との間に配置され、上端が前記排水孔通じて植木鉢の内部に露出されるように設置される錐形の芯支持体と；吸収性材料で製作され、前記芯支持体の外表面に支持されるように設置された三角形の芯とを含むことを特徴とする植木鉢用給水装置によって達成される。
【００２６】
ここで、芯支持体を通じて植物の根に空気を供給することができるように、前記芯支持体は、前記貯水筒底面部の上面から起立形成され、上端に支持体通気孔が形成されており、前記貯水筒底面部は、前記芯支持体の開口に連通するように底面通気孔が形成されており、前記貯水筒は、前記貯水筒底面部を貯水筒設置面に対して支持し、前記貯水筒底面部と貯水筒設置面との間を通じて前記底面通気孔に空気が供給されるように、前記貯水筒底面部の底面に突出して形成された遊隔突起をさらに含むことが好ましい。
【００２７】
また、植木鉢を支持することができるように、前記芯支持体が植木鉢の内部に進入した状態で、植木鉢の荷重を支えるように、前記貯水筒の内部に設置された植木鉢支持体をさらに含むことが好ましい。
【００２８】
また、芯支持体の初期設置状態を安定的に保持することができるように、前記芯支持体を前記貯水筒底面部に対して支持する支持フレームをさらに含むことが好ましい。
【００２９】
また、前記芯支持体は、三角形に形成されることが好ましい。
【００３０】
また、芯支持体を通じて植物の根に空気を供給することができるように、前記芯支持体の側面には空気案内孔が形成されており、上端には支持体面通気孔が形成されていることが好ましい。
【００３１】
また、支持体通気孔を通じて植木鉢の土が落下することを防止することができるように、前記芯は前記支持体通気孔を上側で囲むように形成されることが好ましい。
【００３２】
また、植物の根に供給される空気量を増加させることができるように、前記芯支持体は、側面に凹形の空気案内溝が長手方向に沿って切り取って形成され、前記空気案内孔は、前記空気案内溝の底面に形成されていることが好ましい。
【００３３】
上記のような目的を達成するために、本発明の植木鉢用給水装置は、少なくとも一つの排水孔を有する植木鉢底面部と、前記植木鉢底面部の全周縁で突出形成された植木鉢周壁部を含む植木鉢と、前記排水孔に結合され、前記植木鉢周壁部の間の空間に突出され、上端に支持体通気孔を有する芯支持体と、前記芯支持体によって支持され、前記排水孔を通じて前記植木鉢底面部の下部から水を吸収して前記植木鉢底面部の上部に供給する芯と、水を貯蔵し、前記植木鉢の下部に結合されて、前記芯に水を供給する貯水筒とを含むことを特徴とする。
【００３４】
本発明の植木鉢用給水装置において、前記植木鉢底面部は、前記排水孔の周りが前記植木鉢底面部の上または下に突出された固定部材を有することを特徴とする。
【００３５】
本発明の植木鉢用給水装置において、前記芯支持体は、突出された長手方向に周囲が漸次に狭くなる形状または広がる形状をしたことを特徴とする。
【００３６】
本発明の植木鉢用給水装置において、前記芯支持体は換気のための少なくとも一つの空気案内孔を含むことを特徴とする。
【００３７】
本発明の植木鉢用給水装置において、前記芯支持体は、長手方向に切り取った形状の空気案内溝を含み、前記少なくとも一つの空気案内孔は前記空気案内溝の前記切り取った形状の部分に位置することを特徴とする。
【００３８】
本発明の植木鉢用給水装置において、前記芯は、前記支持体通気孔を上側で囲むように形成されることを特徴とする。
【００３９】
本発明の植木鉢用給水装置において、前記貯水筒は、外部から水を供給することができる少なくとも一つの給水口を有することを特徴とする。
【００４０】
本発明の植木鉢用給水装置において、前記植木鉢に設置されて、前記植木鉢で栽培される植物を支える支持体をさらに含むことを特徴とする。
【００４１】
本発明の植木鉢用給水装置において、前記支持体は前記植木鉢周壁部の周囲に固定されて設置されることを特徴とする。
【発明の効果】
【００４２】
本発明によれば、芯が植木鉢の内部に進入することによって、植木鉢の内部の土に吸収される水の量を増加させることができる。
【００４３】
また、貯水筒と植木鉢の内部の土との間には芯支持体が配置されることによって、外部から衝撃を与えても植木鉢の内部の土が貯水筒に落下することを防止することができる。
【００４４】
また、芯支持体の構造を利用して、空気の通路を確保することによって、水が植木鉢の内部により効率的に伝達されることができる。
【００４５】
また、芯支持体は植木鉢の内部に進入することによって、植木鉢の初期設置状態を安定的に保持することができる。
【００４６】
また、植木鉢の内部に進入した芯支持体によって根が分散されることによって、根の成長を促進し、土壌から根に吸収される水と栄養の量が増加する。
【００４７】
また、植物の生長のための支持体を利用して、植物が安定的に成長するようにすることができる。
【図面の簡単な説明】
【００４８】
【図１】本発明の第１実施形態に係る植木鉢用給水装置の結合斜視図である。
【図２】本発明の第１実施形態に係る植木鉢用給水装置の分解斜視図である。
【図３】本発明の第１実施形態に係る植木鉢用給水装置の断面図である。
【図４】本発明の第１実施形態に係る植木鉢用給水装置の使用方法を示す断面図である。
【図５】本発明の第２実施形態に係る植木鉢用給水装置の植木鉢支持体を示す図面である。
【図６】本発明の第３実施形態に係る植木鉢用給水装置の設置状態を示す図面である。
【図７】本発明の第３実施形態に係る植木鉢用給水装置の分解斜視図である。
【図８】本発明の第３実施形態に係る植木鉢用給水装置の分解斜視図である。
【図９】図８に示された芯支持体の拡大斜視図である。
【図１０】図９のＡ−Ａ線に沿う断面図である。
【図１１】図９のＢ−Ｂ線に沿う断面図である。
【図１２】本発明の第３実施形態に係る植木鉢用給水装置の使用方法を示した図面である。
【図１３】本発明の第４実施形態に係る植木鉢用給水装置の結合斜視図である。
【図１４】本発明の第４実施形態に係る植木鉢用給水装置の分解斜視図である。
【図１５】本発明の第４実施形態に係る植木鉢用給水装置の断面図である。
【図１６】本発明の第４実施形態に係る植木鉢用給水装置の使用方法を示す断面図である。
【図１７】本発明の第４実施形態に係る植木鉢の断面図である。
【図１８】本発明の第４実施形態に係る植木鉢用給水装置の分解斜視図である。
【図１９】図１８のＡ−Ａ’線に沿う断面図である。
【図２０】図１８のＢ−Ｂ’線に沿う断面図である。
【図２１】本発明の第５実施形態に係る植木鉢用給水装置の結合斜視図である。
【図２２】従来の植木鉢用給水装置の断面図である。
【発明を実施するための形態】
【００４９】
以下では、添付図面を参照して本発明を詳細に説明する。
【００５０】
図１は本発明の第１実施形態に係る植木鉢用給水装置の結合斜視図であり、図２は本発明の第１実施形態に係る植木鉢用給水装置の分解斜視図であり、図３は本発明の第１実施形態による植木鉢用給水装置の断面図である。
【００５１】
本発明の一実施形態による植木鉢用給水装置は、図面に示すように、上向き開口の貯水筒１０と、貯水筒１０の底面から起立形成された芯支持体２１と、芯支持体２１に取り付けられた芯２２と、芯支持体２１の周辺領域で貯水筒１０の底面から起立形成された植木鉢支持体２５とを有している。
【００５２】
貯水筒１０は、貯水筒底面部１１と、貯水筒底面部１１の全周縁部で起立形成された貯水筒周壁部１２と、貯水筒底面部１１の底面に形成された遊隔突起１３とを有している。
【００５３】
貯水筒底面部１１には、芯支持体２１の三角開口に連通するように底面通気孔１１ａが形成されている。
【００５４】
遊隔突起１３は、貯水筒底面部１１の底面に多数分散して形成されている。
【００５５】
これにより、遊隔突起１３は、貯水筒底面部１１を貯水筒設置面に対して支持することができ、貯水筒底面部１１と貯水筒設置面との間を通じて底面通気孔１１ａに空気が供給されることができる。
【００５６】
芯支持体２１は、例えば、三角形に形成されることができるが、本明細書で三角形とは円錐、裁頭された円錐、四角錐、裁頭された四角錐のような錐形と裁頭された錐形の側面のような外表面を有することができる。
【００５７】
そして、芯支持体２１は、植木鉢が上方向から貯水筒１０の内部に進入する時、排水孔２０１ａを通じて植木鉢の内部に進入するように、貯水筒底面部１１に形成される。
【００５８】
また、芯支持体２１は、上端に支持体通気孔２１ｃが形成されており、植木鉢の内部に進入する領域に凹形の空気案内溝２１ａが上端に到達するように長手方向に沿って切り取られて形成されている。
【００５９】
空気案内溝２１ａは上部に到達するように形成されている。
【００６０】
空気案内溝２１ａの底面には空気案内孔２１ｂが厚さ方向に沿って貫通して形成されている。
【００６１】
芯２２は三角形に形成され、支持体通気孔２１ｃを上側で囲むように形成される。
【００６２】
このような構成を有する芯２２は、不織布、フェルト、スポンジなどの吸収性材料で作られ、芯支持体２１の外表面に接触するように設置される。
【００６３】
植木鉢支持体２５は、芯支持体２１の周辺領域に十字状に形成されている。ここで、植木鉢支持体２５の高さは植木鉢が植木鉢支持体２５の上端に設置される時、芯支持体２１が排水孔２０１ａを通って植木鉢の内部に進入することを選択される。
【００６４】
このような構成を有する本発明の第１実施形態に係る植木鉢用給水装置を使用する方法を図４を参照して説明すれば次の通りである。
【００６５】
まず、芯支持体２１に芯２２を設置する。
【００６６】
次に、貯水筒１０に水を満たす。
【００６７】
次に、植木鉢支持体２５の上端に支持されるように植木鉢２０１を設置する。
【００６８】
貯水筒１０に水が満たされると、貯水筒１０に貯蔵された水は芯２２に吸収される。
【００６９】
芯２２に吸収された水は植木鉢の内部の土壌に吸収されてから植物の根に吸収される。
【００７０】
そして、底面通気孔１１ａと支持体通気孔２１ｃとを連結する経路、底面通気孔１１ａ、空気案内孔２１ｂ、空気案内溝２１ａと芯２２を連結する経路、底面通気孔１１ａ、空気案内孔２１ｂ、空気案内溝２１ａと支持体通気孔２１ｃを連結する経路、及び植木鉢２０１の底面と貯水筒１０に貯蔵された水の表面との間の空間、空気案内溝２１ａと芯２２とを連結する経路を通じて空気が植物の根に伝達される。
【００７１】
一方、前述した実施形態では、植木鉢支持体２５を貯水筒１０と一体に形成しているが、図５に示す第２の実施形態のように、植木鉢支持体２５を貯水筒１０と分離して製作した後、貯水筒底面部１１に設置するか、または貯水筒周壁部１２に植木鉢支持体２５を形成して本発明を実施することができる。
【００７２】
図５の図面符号２５ａは、貯水筒１０に水を張る時水が通過する通水孔である。
【００７３】
そして、前述した実施形態では、芯支持体２１を三角形に形成しているが、芯支持体を錐形に形成して本発明を実施することもできる。本明細書で、錐形とは円錐、四角錐など側面に傾斜面を有する錐形と裁頭された錐形を含む意味として使用されている。
【００７４】
また、前述した実施形態では、植木鉢支持体２５を貯水筒１０と一体に形成しているが、植木鉢支持体を貯水筒１０と分離して製作した後、貯水筒１０に結合して本発明を実施することもできる。
【００７５】
また、上述した実施形態では、貯水筒１０に支持される植木鉢について説明しているが、図６に示すように、直接地面に支持される植木鉢に対しても本発明を適用することができる。
【００７６】
図６は本発明の第３実施形態に係る植木鉢用給水装置の設置状態を示す図であり、図７及び図８はそれぞれ本発明の他の実施形態に係る植木鉢用給水装置の分解斜視図であり、図９は図８に示された芯支持体の拡大斜視図であり、図１０は図９のＡ−Ａ線に沿う断面図であり、図１１は図９のＢ−Ｂ線に沿う断面図である。
【００７７】
図６に示された植木鉢２１０’は、長方形の植木鉢底面部２１１’と、植木鉢底面部２１１’の周縁部で起立形成された植木鉢周壁部２１２’と、植木鉢底面部２１１’の四つの隅の領域で植木鉢周壁部２１２’と反対方向に延長形成された植木鉢の脚部２１３’とを有している。
【００７８】
植木鉢底面部２１１’には排水孔２１１’ａが形成されている。
【００７９】
このような構造を有する植木鉢に適用される本発明の他の実施形態に係る植木鉢用給水装置は、図面に示すように、上向き開口の貯水筒１０’と、貯水筒１０’に設置される支持フレーム３０’と、支持フレーム３０’に支持されるように設置された三角形の芯支持体２１’と、芯支持体２１’に設置された芯２２’とを有している。
【００８０】
貯水筒１０’は、貯水筒底面部１１’と、貯水筒底面部１１’の全周縁部で起立形成された貯水筒周壁部１２’とを有している。
【００８１】
貯水筒底面部１１’は長方形に形成されている。
【００８２】
貯水筒周壁部１２’は貯水筒底面部１１’が植木鉢の脚部２１３’の下端に整列される時、植木鉢底面部２１１’よりも高さの低い区間を有するように形成される。
【００８３】
芯支持体２１’は三角形に形成されるが、本明細書で三角形とは円錐、裁頭された円錐、四角錐、裁頭された四角錐などのような錐形と裁頭された錐形の側面のような外表面を有することができる。
【００８４】
また、芯支持体２１’は、支持フレーム３０’を通じて貯水筒底面部１１’に支持される時、排水孔２１１’ａを通じて植木鉢底面部２１１’の上面を通って突出することができ長さ区間を有するように形成される。
【００８５】
また、芯支持体２１’は、上端に支持体通気孔２１’ｃが形成されており、側面には凹形の空気案内溝２１’ａが上端に到達するように長手方向に沿って切り取って形成されている。
【００８６】
空気案内溝２１’ａは上端に到達するように形成されている。
【００８７】
空気案内溝２１’ａの底面には空気案内孔２１’ｂが厚さ方向に沿って貫通して形成されている。
【００８８】
ここで、空気案内孔２１’ｂは少なくとも貯水筒周壁部１２’の上端と植木鉢底面部２１１’との間の領域に対応する区間に形成される。
【００８９】
このような構成を有する芯支持体２１’は、底面が後述する支持柱３４’の上面に接触した状態で、後述する支持板３１’の板面に垂直に配置されるように設置される。これにより、芯支持体２１’は、支持フレーム３０’を通じて貯水筒底面部１１’に支持される。
【００９０】
芯２２’は三角形に形成され、支持体通気孔２１’ｃを上側で囲むように形成される。
【００９１】
このような構成を有する芯２２’は不織布、フェルト、スポンジなどの吸収性材料で作られ、芯支持体２１’の外表面と後述する支持柱３４’の外表面に接触するように設置される。
【００９２】
支持フレーム３０’は、支持板３１’と、支持板３１’と同心円に配置された一対の支持リング３２’と、支持リング３２’と支持板３１’との間を連結する連結バー３３’と、支持板３１’の中央領域に起立形成された支持柱３４’とを有している。
【００９３】
支持フレーム３０’は、支持板３１’の底面が貯水筒底面部１１’に接触するように設置される。
【００９４】
このような構成を有する本発明の他の実施形態による植木鉢用給水装置を使用する方法を図１２を参照して説明すれば次の通りである。
【００９５】
まず、芯支持体２１’に芯２２’を設置する。
【００９６】
次に、貯水筒１０’を植木鉢の脚部２１３’の間に押し入れる。
【００９７】
次に、支持フレーム３０’を貯水筒底面部１１’の上面に設置する。
【００９８】
次に、芯支持体２１’が排水孔２１１’ａを通過して植木鉢底面部２１１’の上面を通って突出するように芯２２’を支持柱３４’に結合する。
【００９９】
次に、貯水筒１０’に水を張る。
【０１００】
貯水筒１０’に水が満たされると、貯水筒１０’に貯蔵された水は芯２２’に吸収される。
【０１０１】
芯２２’に吸収された水は植木鉢の内部の土壌に吸収されてから植物の根に吸収される。
【０１０２】
そして、空気案内孔２１’ｂ、芯支持体２１’の内部空間及び支持体通気孔２１’ｃを連結する経路を通じて空気が植物の根に伝達される。
【０１０３】
上述したように、本発明の実施形態によれば、芯２２が植木鉢の内部に進入することによって、植木鉢の内部の土に吸収される水の量を増加させることができる。
【０１０４】
また、貯水筒１０と植木鉢の内部の土との間に芯支持体２１が配置されることによって、外部から衝撃を受けた時、植木鉢の内側の土が貯水筒１０に落下されることを防止することができる。
【０１０５】
また、芯支持体２１が植木鉢の内部に進入することによって、植木鉢の初期設置状態を安定的に保持することができる（植木鉢の内部に進入した芯支持体によって植木鉢の揺れを防止することができる）。
【０１０６】
また、植木鉢の内部に進入した芯支持体２１によって根が分散されることによって、根の成長を促進し、土壌から根に吸収される水と栄養の量が増加される。
【０１０７】
また、貯水筒底面部１１に底面通気孔１１ａを形成し、芯支持体２１は支持体通気孔２１ｃを形成することによって、芯２２を通じて植物の根に空気を供給することができる。
【０１０８】
また、芯支持体２１、２１’に空気案内孔２１ｂ、２１’ｂを形成することによって、植物の根に供給される空気量を増加させることができる。
【０１０９】
また、芯支持体２１、２１’に空気案内溝２１ａ、２１’ａを形成し、空気案内溝２１ａ、２１’ａの底面に空気案内孔２１ｂ、２１’ｂを形成することによって、植物の根に供給される空気量をさらに増加させることができ、植木鉢の底に溜まっている水を空気案内溝２１ａ、２１’ａに沿って貯水筒１０、１０’に自然落下方式で落ちることができる。このように、植木鉢の底に溜まっている水が空気案内溝２１ａ、２１’ａに沿って貯水筒１０、１０’に流れ落ちると根が傷むことを防ぐことができる。
【０１１０】
また、貯水筒１０の内部に植木鉢支持体２５を設置することによって、植木鉢を支持することができる。
【０１１１】
また、支持フレーム３０’を追加することによって、芯支持体２１’の初期設置状態を安定的に保持することができる。
【０１１２】
また、支持体通気孔２１ｃ、２１’ｃを上側で囲むように芯２２、２２’を形成することによって、支持体通気孔２１ｃ、２１’ｃを通じて植木鉢の土が落下することを防止することができる。
【０１１３】
図１３は本発明の第４実施形態に係る植木鉢用給水装置の結合斜視図であり、図１４は本発明の第４実施形態に係る植木鉢用給水装置の分解斜視図であり、図１５は本発明の第４実施形態による植木鉢用給水装置の断面図である。
【０１１４】
図１３〜図１５によれば、本実施形態の植木鉢用給水装置は、植木鉢４１０、芯支持体４２０、芯４３０及び貯水筒４４０を含む。
【０１１５】
植木鉢４１０は、土を盛って植物を植えて育てるのに用いられる容器の一種で、植木鉢底面部４１１と植木鉢周壁部４１２とを含んでいる。
【０１１６】
植木鉢底面部４１１は、芯４３０を利用して貯水筒４４０の水を植木鉢４１０の内部に供給するための少なくとも一つの排水孔を有する。
【０１１７】
植木鉢周壁部４１２は、植木鉢底面部４１１の周辺で上に突出形成される。実施形態によって、植木鉢周壁部４１２は、植木鉢底面部４１１の周辺で下へ突出した形状を有することができる。
【０１１８】
芯支持体４２０は、植木鉢底面部４１１に位置した排水孔に結合されて芯４３０を支持する役割を果たし、本発明の芯支持体４２０は、植木鉢底面部４１１で植木鉢周壁部４１２の間の空間に突出して形成される。
【０１１９】
芯支持体４２０は上端に換気用の支持体通気孔４２１を有する。
【０１２０】
また、芯支持体４２０は上端を除いた部分に換気のための少なくとも一つの空気案内孔４２２を有することができる。
【０１２１】
本発明の芯支持体４２０は、実施形態によって長手方向に切り取った形状の空気案内溝を含むことができ、例えば、空気案内溝４２３は凹まれた形状を有することができる。この場合、換気のための空気案内孔４２２は、空気案内溝４２３の切り取った形状の部分に位置することができる。
【０１２２】
芯支持体４２０は、突出した長手方向の全区間またはその一定区間で周囲が漸次に狭くなる形状または広がる形状を有することができ、例えば、円錐、裁頭された円錐、三角錐や四角錐などの角錐、裁頭された角錐、断面が星形の錐など多様な形状を有することができる。
【０１２３】
芯４３０は、芯支持体４２０によって支持されて、植木鉢底面部４１１の下方に位置した貯水筒４４０の水を吸収して植木鉢底面部４１１の上部に供給する役割を果たす。
【０１２４】
このため、芯４３０は不織布、フェルト、スポンジなどの吸水性材料を含むことができる。
【０１２５】
本発明の一実施形態で、芯４３０は芯支持体４２０の上端に位置した支持体通気孔４２１を上側で囲むように形成されることができ、これによって、植木鉢４１０内の土が支持体通気孔４２１を塞いだり、貯水筒４４０に落下することを防止することができる。
【０１２６】
貯水筒４４０は水を貯蔵する貯蔵部で、植木鉢４１０の底部に結合して、芯４３０に水を供給する役割を果たす。
【０１２７】
本発明の一実施形態で、貯水筒４４０は植木鉢と結合した状態でも外部から水が供給されることができるように少なくとも一つの給水口を有する。
【０１２８】
例えば、貯水筒４４０の給水口は貯水筒４４０の側壁上端が外側に曲がる形態を有することができる。
【０１２９】
図１４は、本発明の植木鉢用給水装置が植木鉢４１０、芯支持体４２０、芯４３０、貯水筒４４０に分離された形態を示す。
【０１３０】
本実施形態で、芯４３０を支持する芯支持体４２０は植木鉢底面部４１１の排水孔４１３を通じて挿入される形式で結合されることができる。
【０１３１】
そして、植木鉢底面部４１１に位置した排水孔に芯支持体４２０が結合されると、植木鉢４１０の下部に水を貯蔵した貯水筒４４０を支える。
【０１３２】
本発明の一実施形態では、植木鉢４１０の下部に水のない貯水筒４４０を支えた後、給水口４４１を通じて貯水筒４４０に水を供給する。
【０１３３】
即ち、本発明の給水口４４１は、本発明の植木鉢用給水装置が結合された状態でも、外部で貯水筒４４０に水を供給することができるようにする役割を果たし、これによって使用者は貯水筒４４０の水の量を確認し、必要時に水を供給することが可能である。
【０１３４】
本発明の一実施形態で、給水口４４１は、例えば、貯水筒４４０の側壁の上端が外側に曲がる形態を有することができる。
【０１３５】
図１５によれば、本発明の植木鉢用給水装置は、植木鉢４１０の下端と貯水筒４４０が結合された形態を有し、貯水筒４４０は水１が満たされている。
【０１３６】
この時、貯水筒４４０の水１は、本実施形態の植木鉢用給水装置が結合された後、給水口４４１を通じて供給されたものであることもある。
【０１３７】
本実施形態の貯水筒４４０は、植木鉢４１０を支えるための植木鉢支持体４４２を含み、植木鉢支持体４４２は、貯水筒４４０の底面や側面などと結合された形態を有することができ、貯水筒４４０とは物理的に分離された形態を有することができる。
【０１３８】
図１５で植木鉢底面部４１１の排水孔４１３を通じて結合されて芯４３０を支持する芯支持体４２０は、上端に位置した支持体通気孔４２１と、散在された少なくとも一つの空気案内孔４２２と、長手方向に沿って凹まれた形態に切り取った空気案内溝４２３とを含んでいる。
【０１３９】
支持体通気孔４２１、空気案内孔４２２及び空気案内溝４２３は、植木鉢４１０内部の空気、芯支持体４２０の内部の空気、本発明に係る植木鉢用給水装置の外部の空気の間の空気交換のための通路の役割を果たし、これにより、貯水筒４４０の水を吸収して植木鉢の内部に供給する芯４３０で水の蒸発作用が活発に起き、その結果、本発明の植木鉢用水供給装置はより効率的に植木鉢４１０内部の土に水を供給することができる。
【０１４０】
この時、空気案内孔４２２は空気案内溝４２３の切り取った形状の部分に位置することができる。
【０１４１】
本発明の一実施形態で、芯４３０は支持体通気孔４２１を上側で囲むように形成されることができ、これによって、支持体通気孔４２１が植木鉢内の土で詰まったり、植木鉢の内部の土が支持体通気孔４２１を通じて貯水筒４４０に落下することを防止することができる。
【０１４２】
本発明の他の一実施形態で、芯４３０は、芯支持体４２０の側面を囲むように形成されて、空気案内孔４２２が植木鉢内の土で詰まったり、植木鉢の内部の土が空気案内孔４２２を通じて貯水筒４４０に落下することを防止することもできる。
【０１４３】
図１６は本発明の第４実施形態に係る植木鉢用給水装置の使用方法を示す断面図である。
【０１４４】
図１６は本発明の植木鉢用給水装置が実際植木鉢で栽培される植物に水と空気を供給する過程を示す。
【０１４５】
図１６によれば、実線の矢印は空気の流れを示す。
【０１４６】
本発明の植木鉢用給水装置の外部空気は、植木鉢底面部４１１と貯水筒４４０に貯蔵された水１の間の空間に入って、芯支持体４２０の内部空間及び空気案内溝４２３を通じて植木鉢の内部の土に伝達される。
【０１４７】
図１６によれば、点線の矢印は水の流れを示す。
【０１４８】
貯水筒４４０に貯蔵された水１は芯４３０に吸収され、芯支持体４２０に支持された芯４３０に沿って植木鉢４１０の内部に上がって蒸発される。
【０１４９】
このような方式で、貯水筒４４０の水１を植木鉢の内部奥深くまで効果的に伝達することができる。
【０１５０】
図１７は本発明の第４実施形態に係る植木鉢４１０の断面図である。
【０１５１】
図１７によれば、植木鉢底面部４１１には排水孔４１３が形成され、排水孔４１３の周辺が植木鉢底面部４１１の上方向に突出されて固定部材４１４を形成する。
【０１５２】
本発明の一実施形態で、芯支持体４２０は、例えば、排水孔４１３に挿入される形態などで結合されるが、固定部材４１４はこのように排水孔４１３に結合される芯支持体４２０が移動しないように固定する役割を果たす。
【０１５３】
図１７を参照して説明した実施形態で、固定部材４１４は排水孔４１３の周辺で植木鉢底面部４１１の上方向に突出した形態を有するが、本発明の技術的範囲はこれらに限定されるのではなく、実施形態によって、固定部材４１４が植木鉢底面部４１１の下方向に突出されたり、植木鉢底面部４１１の上、下両方向にそれぞれ突出されることができる。
【０１５４】
図１８は、本発明の第４実施形態に係る植木鉢用給水装置の分解斜視である。
【０１５５】
図１８は芯４３０と芯支持体４２０とは互いに分離された形態で示し、芯支持体４２０は植木鉢底面部４１１の排水孔４１３から分離されて示した。
【０１５６】
芯支持体４２０は上端に支持体通気孔４２１を有し、長手方向に凹まれるように切り取った形状の空気案内溝４２３を有し、空気案内孔４２２は空気案内溝４２３の凹まれるように切り取った形状に位置する。
【０１５７】
本実施形態で、芯支持体４２０は、一定区間でその周囲が所定形状をしているが、本発明の技術的範囲はこれらに限定されるのではなく、本発明では、実施形態によって、円柱や角柱のように長手方向にその周りが全体または一定区間で一定するか、下端から上端へ行くほどその周りが漸次に狭くなったりまたは漸次に広くなったり、各部分の周囲が互いに異なったり、上端または下端の一定区間のみで漸次に狭くなったり広くなるなど多様な形態の芯支持体４２０を採用することができる。
【０１５８】
本実施形態で、芯支持体４２０の下端部分の周囲は上端部分の周囲に比べてより広い形態を有し、これによって、植木鉢底面部４１１の下端から芯支持体４２０が排水孔４１３に結合される場合、結合がより容易になる。ただ、本発明の技術的範囲はこれらの形態に限定されるのではなく、芯支持体４２０は、最初から排水孔４１３に結合された形態に製造されることができ、芯支持体４２０の形態に応じて植木鉢底面部４１１の上端から下端方向に結合されることもできる。
【０１５９】
本実施形態で、芯支持体４２０によって支持される芯４３０は、支持体通気孔４２１の上端部と空気案内孔４２２を囲む形態に形成されることができ、これを通じて、支持体通気孔４２１または空気案内孔４２２が土で詰まったり、植木鉢４１０内の土が貯水筒４４０に落下することを防止することができる。
【０１６０】
本発明の一実施形態で、芯支持体４２０によって支持される芯４３０は、その下端部に芯支持体４２０の上端部を嵌め込む形態で芯支持体４２０と結合することができる。
【０１６１】
芯支持体４２０の断面については図８及び図９を参照して説明する。
【０１６２】
図１９は図１８のＡ−Ａ’線に沿う断面図である。
【０１６３】
図１９によれば、芯支持体４２０の長手方向に凹まれた部分に換気のための空気案内孔４２２が形成される。ただ、本発明の技術的範囲はこれらに限定されるのではなく、実施形態によって、空気案内孔４２２は芯支持体４２０の何れの部分に位置してもよい。
【０１６４】
図２０は図１８のＢ−Ｂ’線に沿う断面図である。
【０１６５】
図２０によれば、芯支持体４２０の長手方向に凹まれた空気案内溝４２３が形成される。ただ、本発明の技術的範囲はこれらに限定されるのではなく、実施形態によって、空気案内溝４２３は空気が通過する何れの形状の空間形態に形成されてもよい。
【０１６６】
図２１は本発明の第５実施形態に係る植木鉢用給水装置の結合斜視図である。
【０１６７】
図２１は図１の実施形態の植木鉢用給水装置に支持体４５０を結合した形態を示す。
【０１６８】
本実施形態の支持体４５０は植木鉢４１０に結合されて、植木鉢４１０で栽培される植物を支える役割を果たす。
【０１６９】
本発明の一実施形態では、本発明の植木鉢用給水装置が設置された植木鉢４１０で栽培される植物を支持体４５０に結び、その植物の成長に役立つことができる。
【０１７０】
本発明の他の実施形態では、植木鉢４１０の土に植物を結ぶことができる棒などを打ち込み、その棒を支持体４５０で固定した後、再び棒に植物を結ぶ方式でその植物の成長に役に立つこともできる。
【０１７１】
この場合、支持体４５０は、図２のように、植木鉢周壁部４１２の周辺に固定されて設置されることができる。
【０１７２】
なお、本明細書及び図面に開示された実施形態は理解に役立つために特定例を提示したのに過ぎず、本発明の範囲を限定するものではない。ここに開示された実施形態以外にも、本発明の技術的思想に基づいた他の変形例が実施可能であることは本発明が属する技術分野における通常の知識を有する者にとって自明である。
【図１】
2014508538.tif 000003
【図２】
2014508538.tif 000004
【図３】
2014508538.tif 000005
【図４】
2014508538.tif 000006
【図５】
2014508538.tif 000007
【図６】
2014508538.tif 000008
【図７】
2014508538.tif 000009
【図８】
2014508538.tif 000010
【図９】
2014508538.tif 000011
【図１０】
2014508538.tif 000012
【図１１】
2014508538.tif 000013
【図１２】
2014508538.tif 000014
【図１３】
2014508538.tif 000015
【図１４】
2014508538.tif 000016
【図１５】
2014508538.tif 000017
【図１６】
2014508538.tif 000018
【図１７】
2014508538.tif 000019
【図１８】
2014508538.tif 000020
【図１９】
2014508538.tif 000021
【図２０】
2014508538.tif 000022
【図２１】
2014508538.tif 000023
【図２２】
2014508538.tif 000024
【国際調査報告】
2014508538.tif 000025
2014508538.tif 000026
2014508538.tif 000027
2014508538.tif 000028